(57)【要約】【課題】  光配線ユニット内での配線方法などにより挿入方向を変更することのできる光モジュール。【解決手段】  光ファイバを収納するケース状のモジュール本体１０を有し、収納棚９に挿入して収納される光モジュール３であって、前記モジュール本体１０には、収納棚９に該モジュール本体１０の一端部４の側から挿入して収納したときに前記モジュール本体１０を収納棚９に係止する第１係合爪６５と、収納棚９に該モジュール本体１０の一端部４とは逆の他端部５側から挿入して収納したときに前記モジュール本体１０を収納棚９に係止する第２係合爪６６とが設けられている。【選択図】    図１
2005181600.tif 000002
【特許請求の範囲】
【請求項１】
光ファイバ（２）を収納するケース状のモジュール本体（１０）を有し、収納棚（９）に挿入して収納される光モジュールであって、
前記モジュール本体には、前記収納棚に該モジュール本体の一端部（４）の側から挿入して収納したときに前記モジュール本体を前記収納棚に係止する第１係合爪（６５）と、前記収納棚に該モジュール本体の一端部とは逆の他端部（５）側から挿入して収納したときに前記モジュール本体を前記収納棚に係止する第２係合爪（６６）とが設けられていることを特徴とする光モジュール（３）。
【請求項２】
前記第１係合爪及び前記第２係合爪は、ひとつのラッチ（２５）に突設されており、前記ラッチの操作によって前記収納棚に対する係止を解除できるようになっていることを特徴とする請求項１記載の光モジュール。
【請求項３】
前記モジュール本体の一端部及び他端部に着脱可能の端面板（２１，２２）が設けられており、一端部の端面板及び／又は他端部の端面板には光コネクタ（６，７）が取り付けられていることを特徴とする請求項１または請求項２記載の光モジュール。
【請求項４】
前記モジュール本体は開閉可能に構成されており、前記モジュール本体内部を複数の収納空間（８１）に仕切るトレイ（２４）を収納できるようになっていることを特徴とする請求項１から請求項３のいずれかに１項に記載の光モジュール。
【請求項５】
前記トレイの両端には前記光ファイバを挿通するための光ファイバ挿通口（４４）が開口されており、前記トレイは、一端側の光ファイバ挿通口を前記モジュール本体の一端部側、他端側の光ファイバ挿通口を前記モジュール本体の他端部側として、前記モジュール本体内に収納されるようになっていることを特徴とする請求項４記載の光モジュール。
【発明の詳細な説明】
【技術分野】
【０００１】
本発明は、光ファイバを収納するケース状のモジュール本体の側部あるいは両側部に、前記光ファイバをコネクタ接続可能に成端する光コネクタを有する光モジュールに関する。
【背景技術】
【０００２】
光配線盤などの架体や光接続箱といった各種光配線ユニットにあっては、光ファイバを収納する外観薄板状に形成されたケース状の光モジュールを収納棚に複数収納し、この光モジュールの一側部もしくは両側部に実装された光コネクタアダプタ等の光コネクタに対して、別の光ファイバをコネクタ接続することで、前記光コネクタを介して、光モジュール内の光ファイバと前記別の光ファイバとを切替可能に接続する構成が広く採用されている（例えば、特許文献１参照。）。また、収納棚に収納した光モジュールは、光ファイバの増設、入れ替え、光部品の収納等の作業を行う際に収納棚から引き出すことがあるため、光モジュールに収納棚に係脱可能に係合するラッチを設けて、作業対象の光モジュールの近傍に配置されている作業対象外の光モジュールが作業対象の光モジュールの引き出しに伴い移動してしまう、等といった不都合を防止する構成が広く採用されている。
【０００３】
図１２、図１３は光モジュールを用いた光配線盤の一例を示す。
図１２に示す光配線盤１００は、いわゆる前面作業型の光配線盤であって、光モジュール１０１を収納する収納棚１０６を、ラック１０５に上下多段に搭載した構成である。前記光モジュール１０１は、外観薄板状に形成されたケース状のモジュール本体１０２の一端部に光コネクタアダプタ１０３が取り付けられている構成であり、収納棚１０６には、光モジュール１０１が、光コネクタアダプタ１０３が取り付けられている一端部とは逆側の他端部の側から挿入（矢印Ｇ方向に挿入）して、光コネクタアダプタ１０３がラック１０５の前面側（図１２右側）に向くようにして収納される。収納棚１０６に収納された光モジュール１０１は、光モジュール本体１０２の一端部側の上壁部１０７から突設されたラッチ１０９に形成されている係合爪１１０が収納棚１０６上部に設けられた係止部１１１に係合することで、収納棚１０６からの引き抜きが規制され、また、ラック１０５前面側からのラッチ１０９の操作によって、収納棚１０６上部の係止部１１１に対するラッチ１０９の係合を解除することで、ラック１０５前面側（図１２右側）に引き出すことができる。
なお、収納棚１０６に収納された光モジュール１０１の光コネクタアダプタ１０３には、ラック１０５前面側に引き込まれた光ファイバ１１２先端の光コネクタ１１３が着脱可能にコネクタ接続される。光コネクタアダプタ１０３は、例えば、前記光モジュール本体１０２内に引き込まれた光ファイバ（例えば光ファイバケーブルから口出しされた光ファイバ）をコネクタ接続可能に成端するものであり、前記光コネクタアダプタ１０３に光ファイバ１１２先端の光コネクタ１１３を接続すると前記光ファイバ１１２と光モジュール１０１内の光ファイバとが光コネクタアダプタ１０３を介して光接続される。
【０００４】
図１３に示す光配線盤１２０は、いわゆる両面作業形の光配線盤であり、光モジュール１２１を収納する収納棚１０６を、ラック１０５に上下多段に搭載した構成である。前記光モジュール１２１は、外観薄板状に形成されたケース状のモジュール本体１２２の一端部に光コネクタアダプタ１２３が取り付けられている構成であり、収納棚１０６には、光モジュール１２２が、光コネクタアダプタ１２３が取り付けられている側から挿入（矢印Ｈ方向に挿入）して、光コネクタアダプタ１２３がラック１０５の背面側（図１３右側）を向くようにして収納される。つまり、この光配線盤１２０では、収納棚１０６への光モジュール１２１の挿入作業を行う側（前面側。図１３左側）に対し、ラック１０５を介して逆の側である背面側に、収納棚１０６に収納された光モジュール１２１の光コネクタアダプタ１２３が配置される。また、収納棚１０６に収納された光モジュール１２１は、モジュール本体１２２の光コネクタアダプタ１２３が取り付けられている一端部とは逆側の他端部から突設されたラッチ１２４に形成されている係合爪１２５が収納棚１０６上部に設けられた係止部１２６に係合することで、収納棚１０６からの引き抜きが規制され、また、ラック１０５前面側からのラッチ１２４の操作によって、収納棚１０６上部の係止部１２６に対するラッチ１２４の係合を解除することで、ラック１０５前面側（図１３左側）に引き出すことができる。
なお、収納棚１０６に収納された光モジュール１２１の光コネクタアダプタ１２３には、ラック１０５背面側に引き込まれた光ファイバ１１２先端の光コネクタ１１３を着脱可能にコネクタ接続できる。
【特許文献１】特開２００２−５５２３７号公報
【特許文献２】特開２００２−５５２３８号公報
【発明の開示】
【発明が解決しようとする課題】
【０００５】
ところで、図１３に示す両面作業形の光配線ユニット（光配線盤）としては、光モジュールのラッチが係合される収納棚の係止部が、収納棚に対する光モジュールの挿脱作業が行われる前面側に設けられている構成（図１２，図１３に例示した構成）に限定されず、前面側とは逆の背面側に設けられている構成（この場合、光モジュールについてはラッチの設計変更が必要となる）も多々存在するため、光配線ユニットの種類に応じて用意する光モジュール（モジュール本体）の種類が非常に多くなっていることが現状であった。つまり、従来、光モジュールのモジュール本体は、ラッチが一体成形されている樹脂成形品を利用した構成が一般的であり、光配線ユニットの収納棚の種類（特にラッチ係止部の位置の違い）に対応するには、成形用の金型が複数種類必要となり、コストの上昇が避けられない。また、複数のモジュール本体を収納棚に対応して選択使用する手間が掛かるといった不満があった。例えば、図１３の光配線ユニット１２０における係止部１２６の位置が背面側に変更された構成の光配線ユニットの場合、図１３の光配線盤に適用される光モジュール１２１のモジュール本体１２２を転用することは不可能である。また、図１２に例示した光配線盤１００に適用される光モジュール１０１のモジュール本体１０２を転用することもできず、結局、用意するモジュール本体の種類が多くなる。
【０００６】
この発明は、このような事情を考慮してなされたもので、その目的は、光配線ユニットの種類ごとに挿入方向を変更することのできる光モジュールを提供することにある。
【課題を解決するための手段】
【０００７】
上記目的を達成するために、この発明は以下の手段を提案している。
請求項１に係る発明は、光ファイバを収納するケース状のモジュール本体を有し、収納棚に挿入して収納される光モジュールであって、前記モジュール本体には、前記収納棚に該モジュール本体の一端部の側から挿入して収納したときに前記モジュール本体を前記収納棚に係止する第１係合爪と、前記収納棚に該モジュール本体の一端部とは逆の他端部側から挿入して収納したときに前記モジュール本体を前記収納棚に係止する第２係合爪とが設けられていることを特徴とする光モジュールである。
請求項２に係る発明は、前記第１係合爪及び前記第２係合爪は、ひとつのラッチに突設されており、前記ラッチの操作によって前記収納棚に対する係止を解除できるようになっていることを特徴とする光モジュールである。
請求項３に係る発明は、前記モジュール本体の一端部及び他端部に着脱可能の端面板が設けられており、一端部の端面板及び／又は他端部の端面板には光コネクタが取り付けられていることを特徴とする光モジュールである。
請求項４に係る発明は、前記モジュール本体は開閉可能に構成されており、前記モジュール本体内部を複数の収納空間に仕切るトレイを収納できるようになっていることを特徴とする光モジュールである。
請求項５に係る発明は、前記トレイの両端には前記光ファイバを挿通するための光ファイバ挿通口が開口されており、前記トレイは、一端側の光ファイバ挿通口を前記モジュール本体の一端部側、他端側の光ファイバ挿通口を前記モジュール本体の他端部側として、前記モジュール本体内に収納されるようになっていることを特徴とする光モジュールである。
【発明の効果】
【０００８】
本発明によれば、この光モジュールを収納棚の一端部から挿入した場合には、第１係合爪と係合して収納棚に収納され、他端部から挿入した場合には、第２係合爪と係合して収納される。したがって、挿入方向の異なる収納棚であっても、モジュール本体を変更することなく、１種類の光モジュールで挿入することができる。また、１種類の光モジュールだけしか必要としないので、従来のように、光配線ユニットの収納する側に合わせて光モジュールを複数種類用意する必要が無い。このため、複数種類の光モジュールの成形用の金型が必要でなく、コストの削減を実現することができる。
また、第１係合爪及び第２係合爪がひとつのラッチに突設され、前記ラッチの操作によって収納棚に対する係止を解除できるようになっている構成を採用すれば、第１係合爪が突設されたラッチと、第２係合爪が突設されたラッチとを、個別に形成する場合に比べて、光モジュールの構造が単純で済むので、低コスト化できる。
また、前記モジュール本体の一端部及び他端部に着脱可能の端面板が設けられており、一端部の端面板及び／又は他端部の端面板には光コネクタが取り付けられている構成を採用すれば、収納棚の構成や、収納棚が搭載されている光配線盤等の光配線ユニットの構成などに対応して、光コネクタの設置位置を自在に変更できる。また、光モジュールに要求される、光ファイバの接続本数、心数、接続に使用される光コネクタの種類等に対応して、光モジュールに設置する光コネクタの数、種類の変更なども自在に行える。光モジュールの収納棚への挿入方向の変更に対応して、光コネクタの設置位置を変更できることも言うまでも無い。
また、モジュール本体は開閉可能に構成されており、モジュール本体内部を複数の収納空間に仕切るトレイを収納できるようになっている構成を採用すれば、モジュール本体内に収納する光部品の数や種類が多い場合でも、モジュール本体内に光部品を整理して収納できるようになる。これにより、光モジュールに収納する光部品の数や種類が多い場合でも幅広く対応でき、モジュール本体の汎用性が向上する。
さらに、前記トレイの両端には光ファイバを挿通するための光ファイバ挿通口が開口されており、前記トレイは、一端側の光ファイバ挿通口を前記モジュール本体の一端部側、他端側の光ファイバ挿通口を前記モジュール本体の他端部側として、モジュール本体内に収納されるようになっている構成を採用すれば、トレイの両端に光ファイバ挿通口があるので、モジュール本体の一端部及び／又は他端部での、光コネクタの設置の有無等に対応して、トレイへの光ファイバの収納を実現できる。
【発明を実施するための最良の形態】
【０００９】
以下、本発明の実施の形態について図面を参照して説明する。
まず、本発明に係る光モジュールが適用される光配線ユニットの一例を説明する。
なお、以下、図１において、上側を「上」、下側を「下」として、説明する。
【００１０】
図１に示すように、光配線ユニット１（ここでは光配線盤。以下、光配線盤とも言う）は、いわゆる両面作業型のものであって、ラック８と、光モジュール３を収納するためにこのラック８に上下多段に搭載された収納棚９と、この収納棚９に複数収納された光モジュール３とから構成されている。光モジュール３は、外観薄板状に形成されたケース状であり、収納棚９には、光モジュール３が縦置き横並びに複数配列収納される。
【００１１】
次に、本発明に係る光モジュール３について説明する。
図２に示すように、光モジュール３は、外観薄板状に形成されたケース状のモジュール本体１０の両端部４，５（一端部４、及び、一端部４とは逆の側の端部である他端部５）に、光コネクタアダプタ１３，１４が取り付けられた構造である。なお、本実施の形態においては、光コネクタアダプタ１３，１４を両側部４，５に取り付けた構造であるが、これに限るものでなく、片側の端部だけに取り付けられていても良い。
【００１２】
図２及び図３に示すように、モジュール本体１０は、プラスチックなどの合成樹脂製の複数の部材により形成されており、トレイ状本体１０ａと、このトレイ状本体１０ａに着脱自在とされた蓋部材２３と、該モジュール本体１０の両端部４，５に取り付けられたコネクタパネル２１，２２とを有しており、全体として、外観薄板状に形成されたケース状に構成されている。トレイ状本体１０ａは、底板１０ｂと、この底板１０ｂの周縁部に立設された側壁部１０ｃとを有しており、側壁部１０ｃの底板１０ｂからの突出先端部に前記蓋部材２３が装着されることで、ケース状のモジュール本体１０が組み立てられる。なお、蓋部材２３は、下面２６に形成された係合爪２７が、モジュール本体１０に形成された凹部（図示略）と係脱可能に係合することにより、トレイ状本体１０ａに取り付けられる。
また、このモジュール本体１０は、収納棚９と係合するための第１係合爪６５及び第２係合爪６６が突設されたラッチ２５を有している。
【００１３】
図１及び図４に示すように、コネクタパネル２１，２２には、光配線盤１に配線されている光ファイバ２ａ、２ｂ先端の光コネクタ６，７が挿入、接続される光コネクタアダプタ１３，１４が複数個（右側のコネクタパネル２１には４個、左側のコネクタパネル２２には８個）取り付けられている。モジュール本体１０の両端部４，５は、コネクタパネル２１，２２が着脱可能に取り付けられるコネクタパネル取付部２８として機能する。
モジュール本体１０の一端部４には、コネクタパネル２１を挿入するためのコネクタパネル挿入空間３１が確保されている。このコネクタパネル挿入空間３１は、トレイ状本体１０ａの側壁部１０ｃを一部切り欠いた形状であり、このコネクタパネル挿入空間３１の両側部の側壁部２９（側壁部１０ｃの一部）には、コネクタパネル２１の両端２１Ａ，２１Ｂを挟み込むコネクタパネル挿入溝３２が形成されている。トレイ状本体１０ａから蓋部材２３を離脱した状態で、両側のコネクタパネル挿入溝３２の間にコネクタパネル２１を嵌め込むことにより、モジュール本体１０（具体的にはトレイ状本体１０ａ）にコネクタパネル２１を取り付けることができる。そして、トレイ状本体１０ａに蓋部材２３を取り付けると、蓋部材２３によってコネクタパネル２１がトレイ状本体１０ａに押さえ込むようにして固定される。なお、トレイ状本体１０ａの他端部５にコネクタパネル２２を固定する構造も、一端部４と同様である。
【００１４】
トレイ状本体１０ａから蓋部材２３を離脱すれば、コネクタパネル２１、２２の交換が可能となる。コネクタパネル２１、２２には、光コネクタアダプタ１３、１４を嵌め込む窓状のコネクタ穴２１ａ、２２ａ（図６（ｃ）参照）が形成されており、モジュール本体１０に実装する光コネクタアダプタの種類、形状、設置位置、設置数等に対応して、コネクタ穴２１ａ、２２ａの形状、大きさ、形成位置等が適合するコネクタパネルを選択使用、あるいは、交換することができる。したがい、収納棚９の構成や、収納棚９が搭載されている光配線盤１の構成などに対応して、コネクタパネル２１を適宜、交換することで、モジュール本体１０に取り付ける光コネクタ（ここでは光コネクタアダプタ）の設置位置、種類、設置数等を自在に変更できる。
なお、本実施の形態では、コネクタパネル２１，２２をモジュール本体１０の両端部４，５に取り付けたものであったが、本発明はこれに限るものでなく、モジュール本体１０の両端部４，５の内の一方または両方に光コネクタアダプタが取り付けられていないプレートをコネクタパネルと同様に取り付けた構成も含む。
例えば、図１２、図１３に例示した光モジュールと同様に、モジュール本体の片側端部のみに光コネクタアダプタが設置された構成の光モジュールを組み立てることも可能である。
【００１５】
このモジュール本体１０は、図５に示すような内部トレイ２４を複数段（本実施の形態では２段）に積層させて収納できる。
図５に示すように、この内部トレイ２４は、底板４１と、この底板４１の周縁部にリブ状に立設された側壁部４２ａ，４２ｂを有し、さらに、この側壁部４２ａ，４２ｂによって囲まれる内側領域にて底板４１上に設けられた湾曲維持突起３３及び光部品ホルダ３４を有する構造とされている。内部トレイ２４は、ここでは、樹脂製の一体成形品であり、湾曲維持突起３３及び光部品ホルダ３４を含めて全体が一部品になっているが、これに限定されず、例えば、湾曲維持突起３３や光部品ホルダ３４が、底板４１に固定される別部品になっている構成等も採用可能である。内部トレイ２４の底板４１は、図６（ａ）に示すモジュール本体１０内部の収納空間８１ａ，８１ｂ，８１ｃを複数段に仕切るための仕切の機能を有している。湾曲維持突起３３は、光ファイバの余長を巻装した際に、光ファイバに規定以上の湾曲半径となるような湾曲面を有している。
側壁部４２ａ，４２ｂと湾曲維持突起３３とは、底板４１からの突出高さが同じに揃えられており、これらにより、図６に示すように、内部トレイ２４を複数積層して収納した際の収納空間８１ａ，８１ｂ，８１ｃの間隔維持、モジュール本体１０の内での収納状態の安定などの機能を果たす。
【００１６】
図６（ｃ）に示すように、このモジュール本体１０も、トレイ状本体１０ａの底板１０ｂ上（但し、収納空間８１に臨む側）に、光部品ホルダ３６と、湾曲維持突起４５とを有している。モジュール本体１０の光部品ホルダ３６及び内部トレイ２４の光部品ホルダ３４は、例えば、光カプラ、融着接続部といった、モジュール本体１０内に収納される光部品を保持するものである。
なお、図６（ｂ），（ｃ）に示すように、トレイ状本体１０ａの側壁部１０ｃ及び湾曲維持突起４５、並びに、内部トレイ２４の側壁部４２ａ，４２ｂ及び湾曲維持突起３３に突設された小片である舌片５１，３５は、光ファイバが底板１０ｂ，４１から大きく浮き上がって、トレイ状本体１０ａの内側領域（側壁部１０ｃによって囲まれる内側）や内部トレイ２４の内側領域（側壁部４２ａ，４２ｂによって囲まれる内側）からはみ出すことを規制して、底板１０ｂ，４１に沿って配設された状態を維持するものである。
【００１７】
図５及び図６（ｂ）に示すように、符号４４は、光ファイバ挿通口であり、内部トレイ２４の両端部に形成されている。この光ファイバ挿通口４４は、内部トレイ２４の両端部（モジュール本体１０の一端部側に位置する部分と、他端部側に位置する部分）において、側壁部４２ａ，４２ｂが不連続になっている部分である開口部であり、モジュール本体１０内の光ファイバを、内部トレイ２４の内外にわたって配線するためのものである。
また、内部トレイ２４の両端部には、底板４１を一部切り欠いた形状に形成された開口部である渡り配線挿通部４４ａが形成されている。この渡り配線挿通部４４ａは、内部トレイ２４をモジュール本体１０に積層して収納した際に、内部トレイ２４の底板４１によって仕切られる各収納空間８１ａ，８１ｂ，８１ｃ間での光ファイバ２の渡り配線を可能にするものである。
【００１８】
図７は、図６に示す光モジュール３内での光ファイバ２同士の接続状態の一例を示す光配線図である。
図６、図７において、モジュール本体１０内には、該モジュール本体１０内側から光コネクタアダプタ１３、１４に切り替え可能にコネクタ接続される成端光ファイバ９１、９２と、光カプラ４６とが収納されている。前記成端光ファイバ９１、９２は、単心の光ファイバであり、長手方向一端が光コネクタ（光コネクタプラグ）９１ａ、９２ａによって、光コネクタアダプタ１３、１４に対してコネクタ接続可能に成端されている。成端光ファイバ９１、９２の内、符号９１の成端光ファイバは、光コネクタ９１ａによって、モジュール本体１０の一端部４側に取り付けられた光コネクタアダプタ１３にコネクタ接続されるものであり、符号９２の成端光ファイバは、光コネクタ９２ａによって、モジュール本体１０の一端部５側に取り付けられた光コネクタアダプタ１４にコネクタ接続されるものである。
【００１９】
光コネクタ９１ａ、９２ａとしては、各種構成のものが採用可能であり、単心用のものとしては、例えば、ＳＣ形光コネクタ（ＳＣ：Single fiber Coupling optical fiber connector。例えばＪＩＳ  Ｃ  ５９７３に制定されるもの等）などを採用できる。また、成端光ファイバ９１、９２が多心光ファイバである場合に対応して採用される多心用の光コネクタ９１ａ、９２ａとしては、例えばＭＰＯ形光コネクタ（MPO：Multifiber  Push-On。例えばＪＩＳ  Ｃ  ５９８２に制定されるもの等）などを採用できる。また、光コネクタアダプタ１３，１４、並びに、この光コネクタアダプタ１３、１４にモジュール本体１０の外側からコネクタ接続される光コネクタ６、７は、モジュール本体１０内側から光コネクタアダプタ１３，１４にコネクタ接続される光コネクタ９１ａ、９２ａと同じ種類のものである。なお、図２等では、コネクタパネル２１、２２の一つのコネクタ穴２１ａ、２２ａに、単心用のＳC形光コネクタアダプタを４個収納した構成を例示したが、これに代えて、例えば、４心用の多連アダプタを適用することも可能である。
【００２０】
前記光カプラ４６は、ここでは１：２カプラであり、光コネクタアダプタ１３側の１本の成端光ファイバ９１に対し、光コネクタアダプタ１４側の２本の成端光ファイバ９２を光分岐して接続するものである。符号４８ａ、４８ｂは、光ファイバ同士の融着接続部であり、符号４８ａの融着接続部は、成端光ファイバ９１の長手方向他端部と、光カプラ４６の一端部から延びる光ファイバ４６ａとの融着接続部であり、符号４８ｂの融着接続部は、成端光ファイバ９２の長手方向他端部（前記一端部とは逆側の端部）から延びる光ファイバ４６ｂと成端光ファイバ９２の長手方向他端部との融着接続部である。
なお、成端光ファイバ９１、９２及び光ファイバ４６ａ、４６ｂは、いずれも、本発明に係るモジュール本体内に収納される光ファイバとして機能する。
【００２１】
光カプラ４６、及び、融着接続部４８ａ，４８ｂは、トレイ状本体１０ａの光部品ホルダ３６や、内部トレイ２４の光部品ホルダ３４に着脱自在に保持されている。
図６の例では、光カプラ４６と融着接続部４８ａとを、トレイ状本体１０ａの光部品ホルダ３６に保持し、融着接続部４８ｂを、モジュール本体１０内に収納した２枚の内部トレイ２４の光部品ホルダ３４に振り分けて保持している。また、２枚の内部トレイ２４によって画成された３つの収納空間８１ａ，８１ｂ，８１ｃには、それぞれ、光ファイバ９１、９２、４６ａ、４６ｂの余長を湾曲収納している。
なお、本実施の形態では、光部品として１：２光カプラ、融着接続部の例を挙げたが、モジュール本体１０内に収納する光部品としては、これに限るものではなく、例えば、光ファイバ同士を１：４、１：８等に分岐接続する光カプラ、光フィルタ、メカニカルスプライス等、各種構成のものを採用可能である。
【００２２】
図８，図９において、モジュール本体１０に突設されたラッチ２５は、トレイ状本体１０ａと一体成形により形成された弾性変形可能な小片であり、モジュール本体１０の他端部５から突出している。具体的には、このラッチ２５は、モジュール本体１０の側壁部１０ｃのうち上側に位置してモジュール本体１０の一端部４から他端部５にわたって延在する部分（以下、上壁部６１）を延長するようにして他端部５から突出された第１の板部６２と、第１の板部６２の先端から下方に略直角に延びる第２の板部６３と、第２の板部６３の下端から前記上壁部６１の延在方向に沿って延びる第３の板部６４とから構成されている。第１の板部６２上には、第２の板部６３側に行くに従い第１の板部６２からの突出寸法が増大する形状の第１係合爪６５が突設されている。また、第３の板部６４上には、第２の板部６３側に行くに従い第３の板部６３からの突出寸法が増大する形状の第２係合爪６６が突設されている。
第１係合爪６５は、光モジュール３を収納棚９に収納した際に、収納棚９の上壁部６７に形成されている係合穴６８に係脱自在に係合することで、この収納棚９からの光モジュール３の引き抜きを規制する機能を果たすものである。
【００２３】
上記の構成の光モジュール３を収納棚９に収納するには、図１に示すように、光配線盤１の第１作業面側（前面側。図１左側。符号１１）から、光モジュール３を押し込む（図１中、矢印Ａは押し込み方向を示す）。このとき、光モジュール３は、モジュール本体１０の一端部４から収納棚９に挿入される向きで、押し込んでいく。光モジュール３は、収納棚９内側に形成されているガイド溝（図示略）にガイドされることで、収納棚９内を移動し、所定の収納位置まで移動すると、図８，９に示すように、モジュール本体１０のラッチ２５に形成された第１係合爪６５が収納棚９の上壁部６７に形成された係止部としての係合穴６８に嵌め込まれるようにして係合するとともに、モジュール本体１０の一端部４が収納棚９に設けられたストッパ（図示略）に突き当たることで、光モジュール３の移動が規制される。
なお、第１係合爪６５と係合穴６８との噛み合いは、手動で解除することができる。すなわち、ラッチ２５の第３の板部６４を矢印Ｄ方向（図８（ｂ）において下方）に押圧すると、ラッチ２５全体が下方に押し込まれ、第１係合爪６５が係合穴６８から下方に抜け出されることで、係合穴６８との係合が解除される。そして、光モジュール３を第１作業面側１１に移動させることで、光モジュール３を収納棚９から引き出すことができる。ラッチ２５の第３の板部６４は、係合解除用操作片として機能する。
【００２４】
図１０に示す光配線盤７１（光配線ユニット）は、光モジュール３を収納棚７２に収納する際の光モジュール３の挿入向きが、図１に例示した光配線盤１と異なる（逆向き）ものである。
図１０において、光配線盤７１の右側が、この光配線盤７１の収納棚７２への光モジュール３の挿入作業、及び、収納棚７２からの光モジュール３の引き出し作業を行う第１作業面側（符号７３。前面側）である。この光配線盤７１では、光モジュール３は、モジュール本体１０の他端部５側から収納棚７２に挿入する向きで、第１作業面側７３から収納棚７２に押し込んで挿入（図１０中、矢印Ｅは押し込み方向を示す）することで、収納棚７２に収納される。
【００２５】
第１作業面側７３から収納棚７２に挿入した光モジュール３が、収納棚７２における所定の収納位置まで移動すると、モジュール本体１０のラッチ２５に形成された第２係合爪６６が、収納棚７２の第２作業面側（符号７４。光配線盤７１を介して第１作業面側７３とは逆の側。背面側）に設けられている係合片７６の係合穴８０（係止部）に嵌め込まれるようにして係合するとともに、モジュール本体１０の他端部５が収納棚９に設けられたストッパ（図示略）に突き当たることで、光モジュール３の移動が規制される。
【００２６】
前記係合片７６は、収納棚７２の第２作業面側７４にて上壁部７５付近に固定された後付け可能な部品であり、光モジュール３のラッチ２５（具体的には第２係合爪６６）が嵌合される係合穴８０が形成されている部分（係止部７９）は、収納棚７２の上壁部７５よりもやや下方に配置され、収納棚７２に挿入された光モジュール３のラッチ２５の第２係合爪６６の位置（上下方向の位置）に対応しており、光モジュール３の収納棚７２への押し込み操作を行うだけで、ラッチ２５（具体的には第２係合爪６６）を係止部７９に係脱可能に係合させることができるようになっている。
この光配線盤７１の例でも、ラッチ２５の第３の板部６４を矢印Ｆ方向（図１１において下方）に押圧して、第２係合爪６６を係合穴８０から下方に抜き出すことで、ラッチ２５（具体的には第２係合爪６６）と係止部７９との係合を手動で解除することができることは、図１等に例示した光配線盤１と同様である。ラッチ２５の第３の板部６４が、係合解除用操作片として機能することも同様である。ラッチ２５と係止部７９との係合を解除した後、光モジュール３を第１作業面側７３に移動させることで、光モジュール３を収納棚７２から引き出すことができる。
なお、係合片７６は、収納棚７２に取り付けることで収納棚７２の一部を構成するものであるが、収納棚７２に後付けされる構成に限定されず、収納棚７２に一体になっている構成も採用可能である。
【００２７】
上記の構成の光モジュール３によれば、光配線盤１に適用した場合、この光モジュール３を収納棚９に一端部４から挿入して、収納棚９における第１作業面側１１の端部に位置する係止部（係合穴６８）に第１係合爪６５を係脱可能に係合させることで、収納棚９からの引き抜きを規制でき、また、光配線盤７１に適用した場合、この光モジュール３を収納棚７２に他端部５から挿入して、収納棚７２における第２作業面側７４の端部に位置する係止部７９に第２係合爪を係合させることで、収納棚７２からの引き抜きを規制できる。したがって、収納棚に挿入する際の光モジュール３の向きが異なる光配線盤１，７２に適用することが可能であり、複数種類の光配線ユニット（光配線盤等）について、モジュール本体１０を共通化して適用することができ、従来のように、光配線盤の種類に合わせて光モジュールを複数種類用意する必要が無くなるなどの利点が得られ、光配線ユニットの低コスト化を容易に実現できる。
【００２８】
さらに、この光モジュール３は、コネクタパネル２１，２２の選択使用や、モジュール本体１０内部の光配線等によって、光配線ユニットにおいて要求される様々な機能（例えば、光ファイバとの接続、光ファイバの分岐接続、光線路への光カプラや光フィルタといった光機能部品の介在配置など）に幅広く対応できる。このため、多種多様な光配線ユニットに、モジュール本体１０を設計変更しないまま使用できる利点がある。
例えば、図１に示す光配線盤１では、収納棚９に収納した光モジュール３の一端部４側の光コネクタアダプタ１３に第２作業面側１２の光ファイバ２ａをコネクタ接続し、他端部５側の光コネクタアダプタ１４に第１作業面側１１の光ファイバ２ｂをコネクタ接続することで、モジュール本体１０内の光カプラ４６を介して、１本の光ファイバ２ａに対して、２本の光ファイバ２ｂが分岐接続されるが、図１０に示す光配線盤７１でも、光配線盤１と同様に、光モジュール３を介することで、第２作業面側７４の光ファイバ２ａの１本に対して、第１作業面側７３の２本の光ファイバ２ｂが分岐接続されるようにするには、例えば、光モジュール３の両端部４、５でのコネクタパネル２１、２２の交換によって、モジュール本体１０における光コネクタアダプタ１３、１４の取り付け位置を反転させるとともに、光コネクタアダプタ１３、１４の設置位置の変更に対応して、光コネクタアダプタ１３、１４間を光接続するべく、モジュール本体１０内の光配線（１本の成端光ファイバ９１と、２本の成端光ファイバ９２とが、光カプラ４６を介して接続されたもの）をモジュール本体１０内に収納し直す。
【００２９】
光モジュール３の適用対象の光配線ユニットは、前述した光配線盤１、７１に限らず、様々なものが採用可能であるが、内部トレイ２４の両端部に、光ファイバ挿通口４４が設けられている構成や、さらに、内部トレイ２４の両端部に渡り配線挿通部４４ａをも設けられている構成であれば、光モジュールを、モジュール本体１０の両端部４，５に光コネクタ（光コネクタアダプタ等）を設置した構成に組み立てる場合に、モジュール本体１０内への光配線の収納に有利である。また、このような構成の内部トレイ２４であれば、モジュール本体１０の両端部４，５のいずれか一方のみに光コネクタ（光コネクタアダプタ等）を設置する場合に、光コネクタが設置されるのが両端部４、５のどちらになったとしても、光配線の収納に容易に対応できるといった利点がある。
【００３０】
なお、本発明は、上述の実施形態に限定されず、各種変更が可能である。
例えば、光モジュールのラッチ（具体的には係合爪）が係合される係止部としては、係合穴によるものに限定されず、係合突起など、各種構成が採用可能である。
また、光モジュールの具体的形状は、外観薄板状のものに限定されず、厚さ寸法の大きい箱状のもの等の採用も可能である。
【図面の簡単な説明】
【００３１】
【図１】光配線ユニットの概略構成を示す側面図である。
【図２】光モジュールの外観を示す図であって、（ａ）は上面図、（ｂ）は平面図、（ｃ）は側面図である。
【図３】光モジュールの蓋部材の取り付けを示す側面図である。
【図４】コネクタパネル取付部を示す拡大図であって、（ａ）は平面断面図、（ｂ）はコネクタパネルの取り付けを示す側面図である。
【図５】内部トレイを示す図であって、（ａ）は平面図、（ｂ）は横側面図、（ｃ）は縦側面図である。
【図６】光モジュールの内部構造を示す図であって、（ａ）は側面図、（ｂ）は図６（ａ）におけるＢ−Ｂ断面図、（ｃ）は図６（ａ）におけるＣ−Ｃ断面図である。
【図７】光モジュールの内部の配線図である。
【図８】図１における光モジュールのラッチを示す拡大図であって、（ａ）は拡大平面図、（ｂ）は拡大側面図である。
【図９】図１における光モジュールのラッチを示す拡大斜視図である。
【図１０】別の光配線ユニットに図２の光モジュールを適用した場合の側面図である。
【図１１】図１０における光モジュールのラッチの拡大側面図である。
【図１２】従来の光配線ユニットを示す側面図である。
【図１３】従来の光配線ユニットを示す側面図である。
【符号の説明】
【００３２】
２…光ファイバ、３…光モジュール、４…端部、５…端部、６…光コネクタ、７…光コネクタ、９…収納棚、１０…モジュール本体、２１…端面板（コネクタパネル）、２２…端面板（コネクタパネル）、２４…トレイ（内部トレイ）、２５…ラッチ、４４…光ファイバ挿通口、６５…第１係合爪、６６…第２係合爪、８１…収納空間
【図１】
2005181600.tif 000003
【図２】
2005181600.tif 000004
【図３】
2005181600.tif 000005
【図４】
2005181600.tif 000006
【図５】
2005181600.tif 000007
【図６】
2005181600.tif 000008
【図７】
2005181600.tif 000009
【図８】
2005181600.tif 000010
【図９】
2005181600.tif 000011
【図１０】
2005181600.tif 000012
【図１１】
2005181600.tif 000013
【図１２】
2005181600.tif 000014
【図１３】
2005181600.tif 000015